(57)【要約】      （修正有）【課題】調光制御回路を提供する。【解決手段】調光制御回路は交流電源、変圧器、整流回路、調光制御チップ、分圧回路、調光スイッチ、第一レジスター、第二レジスター、ハーフブリッジ出力回路を含む。該ハーフブリッジ出力回路は信号を出力し灯管を駆動することができ、該調光スイッチは連動可変電気抵抗（ＶＲ）と該第一レジスターを備え、第二レジスターを並列し、しかも該第一レジスター及び該第二レジスターは負電気抵抗係数の特性を備え、低温起動及び高温作動の目的を達成する。【選択図】図１
0003143943.tif 000002
【実用新案登録請求の範囲】
【請求項１】
調光制御回路は交流電源、変圧器、整流回路、調光制御チップ、分圧回路、調光スイッチ、第一レジスター、第二レジスター、ハーフブリッジ出力回路を含み、
該ハーフブリッジ出力回路は信号を出力し灯管を駆動することができ、
該調光スイッチは連動可変電気抵抗(VR)と該第一レジスターを備え、第二レジスターを並列し、しかも該第一レジスター及び該第二レジスターは負電気抵抗係数の特性を備え、低温起動及び高温作動の目的を達成することを特徴とする調光制御回路。
【請求項２】
前記交流電源はＡＣ120〜230Ｖで、該調光制御チップは参照電圧入力(VREF)が所定値まで低下すると起動不能となり、所定値まで上昇すると作動周波数が低下するチップ（UBA2014）であり、該整流回路はハーフウェーブ或いはフルウェーブ整流回路で、該第一レジスター及び第二レジスターはサーミスターであることを特徴とする請求項１記載の調光制御回路。
【請求項３】
前記分圧回路はさらに第一レジスター、第二レジスター、第三レジスター、第四レジスター、第一トランジスターを備え、
該第一レジスターの第一端は該調光制御チップのＶＤＤ入力端に接続し、  第二端はそれぞれ該第二レジスターの第一端及び該調光スイッチの第一端に接続し、
該第二レジスターの第二端は該第一トランジスターの第二端に接続し、
該第三レジスターの第一端はそれぞれ該第一トランジスターの第二端及び該第二レジスターの第二端に接続し、第二端はそれぞれ地電位に接続し、
該第四レジスターの第一端は該調光制御チップのＶＤＤ入力端に接続し、第二端は該第一トランジスターの第一端に接続し、
該第一トランジスターの第三端及び該調光スイッチの第二端はそれぞれ地電位に接続し、
該第一トランジスターはＮＰＮ型トランジスターで、その第一端はコレクタ極で、第二端はベース極で、第三端はエミッタ極であることを特徴とする請求項１記載の調光制御回路。
【請求項４】
前記ハーフブリッジ出力回路はさらに第二トランジスター及び第三トランジスターを備え、それぞれ電界効果トランジスターであることを特徴とする請求項１記載の調光制御回路。
【考案の詳細な説明】
【技術分野】
【０００１】
本考案は調光制御回路に関する。特に負電気抵抗係数特性を使用する第一レジスター及び第二レジスターで、低温起動及び高温作動を達成する調光制御回路に関する。
【背景技術】
【０００２】
市場で見られる調光電子安定器は、一般には暗から明の方式により調光する。そのため使用時に、使用者が電源スイッチ(それは連動する可変電気抵抗(VR)を備える)をオンにすると、低輝度から正常に起動し、調光に至り、時計回りに回転し、可変電気抵抗(VR)値が大きくなるに従い、灯管もゆっくりと明るくなる。しかし、このような低圧での起動には、非常に大きな欠点及び性能上の不足が存在する。
【０００３】
一般の調光電子安定器の調光制御チップには、オランダのフィリップ社製のUBA2014チップ等(但し、これに限定するものではなく、同等のもであればよい)があるが、その参照電圧入力端(VREF)が直列する分圧レジスターは通常は普通型レジスター(つまり、正電気抵抗係数を備える)を使用する。
しかし、スイッチをオンにした時、その可変電気抵抗(VR)値はゼロで、VREF入力端の電圧は低下する。これではUBA2014チップ内部圧制御振動に変化が生じ、UBA2014チップの作動周波数は最高80KHz前後にまで上昇してしまい、灯管出力を最低にまで落としてしまう。
一方、可変電気抵抗(VR)を最大にすると、その値は約10KΩで、VREF入力端の電圧は上昇する。これによりUBA2014チップ内部圧制御振動は変化を生じ、こうしてUBA2014チップの作動周波数は40KHz前後にまで低下し、灯管出力は最大となる。
しかし、周囲の環境温度が0℃等まで低下すると、公知の正電気抵抗係数を備える分圧レジスターはその抵抗値も低下し、VREF入力端の電圧も低下し、UBA2014チップは起動不能となる。或いは、周囲の環境温度が上昇すると、公知の正電気抵抗係数を備える分圧レジスターの抵抗値もまた上昇し、VREF入力端の電圧も上昇し、UBA2014チップ出力の作動周波数は低下する。こうして灯管の消費電力を拡大してしまうため、理想的ではない。
【特許文献１】特開２００３−１０９７７９公報
【考案の開示】
【考案が解決しようとする課題】
【０００４】
本考案が解決しようとする課題は、公知の調光制御回路の欠点を克服する新型の調光制御回路を提供することである。
【課題を解決するための手段】
【０００５】
上記課題を解決するため、本考案は下記の調光制御回路を提供する。
調光制御回路は交流電源、変圧器、整流回路、調光制御チップ、分圧回路、調光スイッチ、第一レジスター、第二レジスター、ハーフブリッジ出力回路を含み、
該ハーフブリッジ出力回路は信号を出力し灯管を駆動することができ、
該調光スイッチは連動可変電気抵抗(VR)と該第一レジスターを備え、第二レジスターを並列し、しかも該第一レジスター及び該第二レジスターは負電気抵抗係数の特性を備え、低温起動及び高温作動の目的を達成し、
該調光制御回路の該交流電源はＡＣ120〜230Ｖで、
該調光制御回路の該整流回路はハーフウェーブ或いはフルウェーブ整流回路で、
該調光制御回路の該調光制御チップはオランダのフィリップ社製のUBA2014であり、該調光制御チップは参照電圧入力(VREF)が所定値まで低下すると起動不能となり、所定値まで上昇すると作動周波数が低下するチップ（UBA2014）で、
該調光制御回路の該第一レジスター及び第二レジスターはサーミスターで、
該調光制御回路の該分圧回路はさらに第一レジスター、第二レジスター、第三レジスター、第四レジスター及び第一トランジスターを備え、
該第一レジスターの第一端は該調光制御チップのＶＤＤ入力端に接続し、第二端はそれぞれ該第二レジスターの第一端及び該調光スイッチの第一端に接続し、
該第二レジスターの第二端は該第一トランジスターの第二端に接続し、
該第三レジスターの第一端はそれぞれ該第一トランジスターの第二端及び該第二レジスターの第二端に接続し、第二端はそれぞれ地電位に接続し、
該第四レジスターの第一端は該調光制御チップのＶＤＤ入力端に接続し、第二端は該第一トランジスターの第一端に接続し、
該第一トランジスターの第三端及び該調光スイッチの第二端はそれぞれ地電位に接続し、
該調光制御回路の該第一トランジスターはＮＰＮ型トランジスターで、その第一端はコレクタ極で、第二端はベース極で、第三端はエミッタ極で、
該調光制御回路の該ハーフブリッジ出力回路はさらに第二トランジスター及び第三トランジスターを備え、それはそれぞれ電界効果トランジスターである。
【考案の効果】
【０００６】
上記のように、本考案は負電気抵抗係数特性を使用する第一レジスター及び第二レジスターで、低温起動及び高温作動を達成することができる。
【考案を実施するための最良の形態】
【０００７】
本考案調光制御回路の指示図である図１に示すように、本考案の調光制御回路は交流電源100、変圧器110、整流回路120、調光制御チップ130、分圧回路140、調光スイッチ150、第一レジスター160、第二レジスター170、ハーフブリッジ出力回路180を含む。
該交流電源100はＡＣ120〜230Ｖ等である(但しこれに限定しない)。
該変圧器110は該交流電源100に接続し、該交流電源100を降圧後、該整流回路120に出力し整流を執行することができる。
該整流回路120は該変圧器110に接続し、ハーフウェーブ或いはフルウェーブ整流回路等(但しこれに限定しない)である。本実施例中では、フルウェーブ整流回路について説明するが、これに限定するものではなく、該変圧器110降圧後の交流電源整流を経て直流電源とし、フィルタリング後に、該調光制御チップ130、分圧回路140、及びハーフブリッジ出力回路180等パーツの使用に供する。
該調光制御チップ130は該整流回路120に接続し、調光制御チップ130はオランダのフィリップ社製のUBA2014等(但しこれに限定しない)で、参照電圧入力端(VREF)及び一対の差動駆動信号出力端(GH、GL)を備える。この調光制御チップ(UBA2014)は、背景技術で説明したように、該調光制御チップは参照電圧入力(VREF)が所定値まで低下すると起動不能となり、所定値まで上昇すると作動周波数が低下するチップ（UBA2014）であるが、その動作原理はメーカーの説明書に記載されるため、ここでは説明を行わない。
【０００８】
該分圧回路140はさらに第一レジスター141、第二レジスター142、第三レジスター143、第四レジスター144、第一トランジスター145を備える。
該第一レジスター141の第一端は該調光制御チップ130のＶＤＤ入力端に接続し、第二端はそれぞれ該第二レジスター142の第一端及び該調光スイッチ150の第一端に接続する。
該第二レジスター142の第二端は該第一トランジスター145の第二端に接続し、該第三レジスター143の第一端はそれぞれ該第一トランジスター145の第二端及び該第二レジスター142の第二端に接続し、第二端はそれぞれ地電位(GND)に接続する。
該第四レジスター144の第一端は該調光制御チップ130のＶＤＤ入力端に接続し、第二端は該第一トランジスター145の第一端に接続する。
該第一トランジスター145の第三端及び該調光スイッチ150の第二端はそれぞれ地電位に接続する。
該第一レジスター141、第二レジスター142、第三レジスター143及び第四レジスター144は正電気抵抗係数を備える普通レジスターである。
該第一トランジスター145はＮＰＮ型トランジスター等(但しこれに限定しない)で、その第一端はコレクタ極等(但しこれに限定しない)で、第二端はベース極等(但しこれに限定しない)で、第三端はエミッタ極等(但しこれに限定しない)である。
【０００９】
該調光スイッチ150は連動する連動可変電気抵抗(VR)151と該第一レジスター160を備え、第二レジスター170を並列する他に、そのスイッチ本体は該第一トランジスター145の第三端及び該第二レジスター142の第一端間に並列し、こうして本考案の調光制御回路の起動及び調光を執行する。該調光スイッチ150は一般スイッチで、しかも低圧の直流電圧側に設置し、ＵＬ認証を備える必要がないため、製造コストを低下させることができる。
該第一レジスター160及び第二レジスター170は負電気抵抗係数の特性を備え、サーミスター等(但しこれに限定しない)で、それは(連動)可変電気抵抗(VR)151と該調光制御チップ130の参照電圧入力端(VREF)に並列し、該調光制御チップ130出力の作動周波数を制御する。
該ハーフブリッジ出力回路180はさらに第二トランジスター181及び第三トランジスター182を備え、それぞれは電界効果トランジスター(MOSFET)で、該調光制御チップ130の差動駆動信号出力端(GH、GL)を受け、灯管190の起動を制御する。これは公知技術で、しかも本考案の重点ではないため、ここでは説明を行わない。 
【００１０】
本考案の調光制御回路の動作原理を以下に説明する。
周囲温度が低下(0℃或いは-5℃等)すると、第一レジスター160及び第二レジスター170は負電気抵抗係数の特性を備えるため、その抵抗値は増加し、該調光制御チップ130の参照電圧入力端(VREF)の入力電圧は上昇する。こうして該調光制御チップ130に起動は容易となる。
一方、周囲の温度が上昇すると、第一レジスター160及び第二レジスター170は負電気抵抗係数の特性を備えるため、その抵抗値は低下し、該調光制御チップ130の参照電圧入力端(VREF)の入力電圧は低下する。こうして作動周波数は上昇し、出力電力は自動的に低下し、出力電力を自動的に調節し、温度補償及び過温保護の作用を達成する。
【００１１】
さらに、本考案の調光制御回路は負電気抵抗係数を備える第一レジスター160及び第二レジスター170を採用するため、低圧起動の特色を備え、よって異なる型番号の灯管を対応させることができる。
また、本考案の調光制御回路は負電気抵抗係数を備える第一レジスター160及び第二レジスター170を採用するため、低圧起動の特色を備え、よって、その調光効果は10％〜90％輝度で確実に作動する。しかも、低輝度(10％等)時には公知調光制御回路に比べより起動が容易である。
上記のように本考案の実施により、最低コストの調光制御回路により、低温起動及び高温作動の目的を達成することができる。
本考案の上記掲示は最適実施例に過ぎず、局部の変更或いは修飾は本考案の技術思想から出発し、該項技術の習熟者が容易に類推できるものであれば、本考案の請求範囲に含むものとする。
【図面の簡単な説明】
【００１２】
【図１】本考案の調光制御回路の回路指示図である。
【符号の説明】
【００１３】
100  交流電源
110  変圧器
120  整流回路
130  調光制御チップ
140  分圧回路
141  第一レジスター
142  第二レジスター
143  第三レジスター
144  第四レジスター
145  第一トランジスター
150  調光スイッチ
151  連動可変電気抵抗(VR)
160  第一レジスター
170  第二レジスター
180  ハーフブリッジ出力回路
181  第二トランジスター
182  第三トランジスター
190  灯管
【図１】
0003143943.tif 000003